(57)【要約】【課題】従来構成の配管用吊りバンドに装着して防振構造とすることが可能な低コストの且つ施工が容易な３点吊下げ用支持具及び配管用吊りバンドを提供する。【解決手段】天井スラブ等に一端が固定された吊りボルトにタンバックルを介して固定される型式の配管用吊りバンドに取り付けるか、又は前記タンバックルに取り付け、前記天井スラブ等に一端が固定される２本の防振杆の他端を係合することにより、前記吊りボルトと２本の防振杆による３点吊下げ支持を行うのに用いる３点吊下げ用支持具であって、前記吊りバンド又はタンバックルに取り付けるためのスリットないし切欠部を中間に有し、左右には前記２本の防振杆の他端を係合する透孔を設けた左・右支持部を有する板状部材から構成されていることを特徴とする３点吊下げ用支持具である。【選択図】図１
2004150452.tif 000002
【特許請求の範囲】
【請求項１】
天井スラブ等に一端が固定された吊りボルトにタンバックルを介して固定される型式の配管用吊りバンドに取り付けるか、又は前記タンバックルに取り付け、前記天井スラブ等に一端が固定される２本の防振杆の他端を係合することにより、前記吊りボルトと２本の防振杆による３点吊下げ支持を行うのに用いる３点吊下げ用支持具であって、前記吊りバンド又はタンバックルに取り付けるためのスリットないし切欠部を中間に有し、左右には前記２本の防振杆の他端を係合する透孔を設けた左・右支持部を有する板状部材から構成されていることを特徴とする３点吊下げ用支持具。
【請求項２】
スリットないし切欠部の中間に、吊りボルトを挿通するための透孔を有する中央支持部を設け、この中央支持部の両端から左・右支持部がＶ字又は逆Ｖ字状に折り曲げられていることを特徴とする請求項１に記載の３点吊下げ用支持具。
【請求項３】
中央支持部と左・右支持部との間に連結部が設けてあり、前記中央支持部の両端から前記連結部がＶ字又は逆Ｖ字状に折り曲げられており、この連結部の端部に前記左・右支持部が、前記連結部の曲げ方向とは逆方向に折り曲げられていることを特徴とする請求項２に記載の３点吊下げ用支持具。
【請求項４】
天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前後からタンバックルに装着されて重層する少なくとも２枚の板状部材から成り、該板状部材の各々にはタンバックルの側壁部ないしは脚部を嵌入するためのスリットないしは切欠部と、前記２本の防振杆の他端が係合される２つの透孔とが形成されており、該２つの透孔の形成位置は少なくとも２枚の板状部材をタンバックルに重層状態に装着した際に２つの透孔の各々が重層する方向で重合一致する位置である構成を有することを特徴とする３点吊下げ用支持具。
【請求項５】
天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前方又は後方からタンバックルに装着される少なくとも１枚の板状部材から成り、該板状部材にはタンバックルの側壁部ないしは脚部を嵌入するためのスリットないしは切欠部と、前記２本の防振杆の他端が係合される２つの透孔と、該板状部材をタンバックルに装着した後に該タンバックルの装着方向と反対側の側壁部ないし脚部に引掛掛止する掛止部とが形成された構成を有することを特徴とする３点吊下げ用支持具。
【請求項６】
天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前後からタンバックル下方に取り付けられた配管用吊りバンドの取付脚部に装着されて重層する少なくとも２枚の板状部材から成り、該板状部材の各々には配管用吊りバンドの取付脚部を嵌入するためのスリットないしは切欠部と、前記２本の防振杆が係合される２つの透孔とが形成されており、該２つの透孔の形成位置は少なくとも２枚の板状部材を配管用吊りバンドの取付脚部に重層状態に装着した際に２つの透孔の各々が重層する方向で重合一致する位置である構成を有することを特徴とする３点吊下げ用支持具。
【請求項７】
天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前方及び／又は後方からタンバックルに装着される少なくとも１枚の板状部材から成り、該板状部材にはタンバックルの側壁部ないしは脚部を嵌入するためのスリットないしは切欠部と、前記２本の防振杆が係合される２つの透孔と、該板状部材をタンバックルに装着した後に該タンバックルを取り付ける吊りボルトの下端が挿通される透孔とが形成された構成を有することを特徴とする３点吊下げ用支持具。
【請求項８】
２枚以上の板状部材を重層状態に装着したときに、該板状部材の２つの透孔の各々が重層する方向で重合一致する位置に形成されていることを特徴とする請求項７に記載の３点吊下げ用支持具。
【請求項９】
請求項１〜８のいずれかに記載の３点吊下げ用支持具を装着したことを特徴とする配管用吊りバンド。
【発明の詳細な説明】
【０００１】
【発明の属する技術分野】
この発明は、水道管、ガス管、冷・暖房管などの各種配管を天井などから防振状態で吊下げる際に利用される３点吊下げ用支持具及び配管用吊りバンドに関する。
【０００２】
【従来技術】
従来、配管軸に直交する横方向への支持配管の揺れを防止する技術としては、天井・壁面・床面・スラブ面・梁等の固定面（本明細施書では、天井スラブ等という。）に一端を固定した２本の防振杆の他端を配管用吊りバンドに係合することによって防止した３点吊り構成が知られている（特許文献１〜３参照）。
【０００３】
【特許文献１】
実開昭６１−１６６２８５号公報
【特許文献２】
特開平６−１１７５７６号公報
【特許文献３】
実用新案登録第２５２４３４０号公報
【０００４】
【発明が解決しようとする課題】
特許文献１〜３の技術は、いずれも配管用吊りバンド自体に２本の防振杆を取り付けるための取付部を設けた構成である。従って、防振支持構成を有する専用部材であるため、従来の配管用吊りバンドに比して当然のことながらコスト高であり、他構成の専用品であるが故に施工現場において従来品の流用が利かないため融通性に欠けるものであった。
【０００５】
さらに、昨今、頻繁に行われている耐震付加工事において、既に設置されている配管設備に対して防振対策を施す際、従来構成である配管用吊りバンドを防振支持構成を有する専用部材に交換する必要があり、交換作業が極めて煩雑であると共に新たな部品費用及び作業費用がかかるため、著しくコスト高となるものであった。
【０００６】
そこで本発明の目的は、従来構成の配管用吊りバンドに装着して防振構造とすることが可能な低コストの且つ施工が容易な３点吊下げ用支持具及び配管用吊りバンドを提供することにある。
【０００７】
【課題を解決するための手段】
本発明の上記課題は下記構成によって達成される。
【０００８】
１．天井スラブ等に一端が固定された吊りボルトにタンバックルを介して固定される型式の配管用吊りバンドに取り付けるか、又は前記タンバックルに取り付け、前記天井スラブ等に一端が固定される２本の防振杆の他端を係合することにより、前記吊りボルトと２本の防振杆による３点吊下げ支持を行うのに用いる３点吊下げ用支持具であって、前記吊りバンド又はタンバックルに取り付けるためのスリットないし切欠部を中間に有し、左右には前記２本の防振杆の他端を係合する透孔を設けた左・右支持部を有する板状部材から構成されていることを特徴とする３点吊下げ用支持具。
【０００９】
２．スリットないし切欠部の中間に、吊りボルトを挿通するための透孔を有する中央支持部を設け、この中央支持部の両端から左・右支持部がＶ字又は逆Ｖ字状に折り曲げられていることを特徴とする請求項１に記載の３点吊下げ用支持具。
【００１０】
３．中央支持部と左・右支持部との間に連結部が設けてあり、前記中央支持部の両端から前記連結部がＶ字又は逆Ｖ字状に折り曲げられており、この連結部の端部に前記左・右支持部が、前記連結部の曲げ方向とは逆方向に折り曲げられていることを特徴とする請求項２に記載の３点吊下げ用支持具。
【００１１】
４．天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前後からタンバックルに装着されて重層する少なくとも２枚の板状部材から成り、該板状部材の各々にはタンバックルの側壁部ないしは脚部を嵌入するためのスリットないしは切欠部と、前記２本の防振杆の他端が係合される２つの透孔とが形成されており、該２つの透孔の形成位置は少なくとも２枚の板状部材をタンバックルに重層状態に装着した際に２つの透孔の各々が重層する方向で重合一致する位置である構成を有することを特徴とする３点吊下げ用支持具。
【００１２】
５．天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前方又は後方からタンバックルに装着される少なくとも１枚の板状部材から成り、該板状部材にはタンバックルの側壁部ないしは脚部を嵌入するためのスリットないしは切欠部と、前記２本の防振杆の他端が係合される２つの透孔と、該板状部材をタンバックルに装着した後に該タンバックルの装着方向と反対側の側壁部ないし脚部に引掛掛止する掛止部とが形成された構成を有することを特徴とする３点吊下げ用支持具。
【００１３】
６．天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前後からタンバックル下方に取り付けられた配管用吊りバンドの取付脚部に装着されて重層する少なくとも２枚の板状部材から成り、該板状部材の各々には配管用吊りバンドの取付脚部を嵌入するためのスリットないしは切欠部と、前記２本の防振杆が係合される２つの透孔とが形成されており、該２つの透孔の形成位置は少なくとも２枚の板状部材を配管用吊りバンドの取付脚部に重層状態に装着した際に２つの透孔の各々が重層する方向で重合一致する位置である構成を有することを特徴とする３点吊下げ用支持具。
【００１４】
７．天井スラブ等に一端が固定された吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具であって、該３点吊下げ用支持具は、配管軸方向における前方及び／又は後方からタンバックルに装着される少なくとも１枚の板状部材から成り、該板状部材にはタンバックルの側壁部ないしは脚部を嵌入するためのスリットないしは切欠部と、前記２本の防振杆が係合される２つの透孔と、該板状部材をタンバックルに装着した後に該タンバックルを取り付ける吊りボルトの下端が挿通される透孔とが形成された構成を有することを特徴とする３点吊下げ用支持具。
【００１５】
８．２枚以上の板状部材を重層状態に装着したときに、該板状部材の２つの透孔の各々が重層する方向で重合一致する位置に形成されていることを特徴とする上記７に記載の３点吊下げ用支持具。
【００１６】
９．上記１〜８のいずれかに記載の３点吊下げ用支持具を装着したことを特徴とする配管用吊りバンド。
【００１７】
【発明の実施の形態】
本発明の詳細について添付図面に基き説明する。
本発明は、図示しない天井スラブ等のアンカーに取り付けられた吊りボルトにタンバックルを介して固定される型式の配管用吊りバンドに取り付け、前記天井スラブ等に一端が固定される２本の防振杆の他端を係合することにより、前記吊りボルトと２本の防振杆による３点吊下げ支持を行う３点吊下げ用支持具である。尚、特許文献１〜３などに示される如く、アンカーの構成は問わず、天井スラブ等に一端が固定された吊りボルトにタンバックルを介して固定される型式の配管用吊りバンドであればよい。
【００１８】
先ず、図１〜図５及び図１６に示す第１実施例について説明する。
図１は本発明に係る３点吊下げ用支持具の第１実施例の板状部材を示す６面図（正面・右側面・平面・底面・背面・Ａ−Ａ線断面の各図）である。図２〜図４は上記第１実施例の装着過程を示す説明斜視図であり、第２図は第１段階、図３は第２段階、図４は最終段階を示す。図５は上記第１実施例の装着状態の他の例を示す斜視図、図１６は上記第１実施例の他の実施例、即ち、板状部材を１枚とした実施例を示す斜視図である。
【００１９】
各図において、１はＳＵＳ４３０ステンレス鋼等の金属製の板状部材１０・１０からなる３点吊下げ用支持具、２はタンバックル、３は配管用吊りバンド、４は吊りボルト、５・５は２本の防振杆である。尚、配管用吊りバンドに抱持される配管は図示を省略する。
【００２０】
第１実施例は、３点吊下げ用支持具１が、配管軸方向における前後からタンバックル２に装着されて重層する２枚の板状部材１０・１０から成り、該板状部材１０・１０の各々にはタンバックル２の脚部２１を嵌入するためのスリットないしは切欠部１１が中間に形成され、該スリットないし切欠部１１の左右には２本の防振杆５・５の他端を係合する２つの透孔１２・１２を設けた左・右支持部１０Ａ・１０Ａが形成されている。２つの透孔１２・１２の形成位置は２枚の板状部材１０・１０をタンバックル２の脚部２１に重層状態に装着した際、２つの透孔１２・１２の各々が重層方向において重合する位置である。尚、図１において、１３は補強リブである。尚、切欠部１１の最深部には、適宜長さの切り起こし片１１Ａを残して、強度補強を図ってもよい（図１の仮想線参照）。この場合、補強リブ１３を省略してもよい。
【００２１】
図２の状態は、３点吊下げ用支持具１の板状部材１０・１０を、配管軸方向における前後からタンバックル２の脚部２１に装着する以前の状態を示しており、矢符Ｘ・Ｘに示すように板状部材１０・１０をタンバックル２の脚部２１に装着することで、図３に示すような状態となる。
【００２２】
図３の状態は、板状部材１０・１０がタンバックル２の脚部２１に重層状態に装着した状態である。このとき、板状部材１０・１０各々の２つの透孔１２・１２は重層方向において重合する状態となっている。
【００２３】
２枚の板状部材１０・１０を重層状態に装着した後、図４に示すように透孔１２・１２の各々に、一端が天井スラブ等（図示せず）に固定された２本の防振杆５・５の他端を係合する。係合手段としては、図４に示すように、螺子加工された防振杆５・５の他端をナット６によって螺合状態に係合することが好ましい。
【００２４】
図４に示すような状態、即ち、図示しない配管を抱持する配管用吊りバンド３が吊りボルト４及び２本の防振杆５・５によって３点吊下げ支持される状態となるので、効果的な防振支持が可能となる。しかも、タンバックル２に板状部材１０・１０を前後から挟み込んだ状態で装着しているので、透孔１２・１２に防振杆５・５を係合した後は震動等が生じてもタンバックル２から外れることがない。
【００２５】
本発明によれば、タンバックル２、配管用吊りバンド３、吊りボルト４は、基本的には防振構成を有していない従来構成のものであり、かかる従来構成の配管設備に本発明に係る３点吊下げ用支持具１を付加適用することで、作業時間及び部品費用を低減した状態での耐震付加工事における防振対策を施すことが可能となる。
【００２６】
本第１実施例に用いた図１に示す３点吊下げ用支持具である板状部材１０・１０は、図２〜図４に示した装着位置、即ち、タンバックル２の脚部２１に限らず、他の位置に装着することもできる。
【００２７】
板状部材１０・１０の他の装着位置としては、タンバックル２の側壁部２２・２２でもよいし、側壁部２２と脚部２１との中間部２３であってもよい。側壁部２２ないしは中間部２３に装着する場合は、板状部材１０のスリットないしは切欠部１１の間隔は装着する部分の間隔に対応するように図示の間隔より広げることは勿論である。
【００２８】
また、図５に示すように、タンバックル２の脚部２１ないしは側壁部２２への装着ではなく、該タンバックル２の下方に取り付けられた配管用吊りバンド３の取付脚部３１・３１の部分に装着することもできる。
【００２９】
更に上記第１実施例において、板状部材１０は２枚に限らず、３枚以上を用いてもよい。
【００３０】
更にまた上記第１実施例において、板状部材１０は１枚のみであってもよい。この場合、図１６に示すように、板状部材１０をタンバックル２に装着した際に該タンバックル２の装着方向と反対側の側壁部２２ないし脚部２１である中間部２３に引掛掛止する掛止部１５・１５が形成されている。掛止部１５・１５が短バックル２に引掛掛止するので、板状部材１０は１枚であっても脱落することがない。
【００３１】
次に、第２実施例について図６〜図１０及び図１７に基き説明する。
図６は本発明に係る３点吊下げ用支持具の第２実施例の板状部材を示す６面図（正面・右側面・平面・底面・背面・Ａ−Ａ線断面の各図）である。図７〜図１０は上記第２実施例の装着過程を示す説明斜視図であり、図７は第１段階、図８は第２段階、図９は第３段階、図１０は最終段階、図１７は上記第２実施例の装着状態の他の例を示す斜視図を示す。
【００３２】
各図において、上記第１実施例と略同一構成の部材ないしは略同一機能を有する部材について同一の符号を付している。
【００３３】
第２実施例は、３点吊下げ用支持具１が、配管軸方向における前後からタンバックル２に装着されて重層する２枚の板状部材１０・１０から成り、該板状部材１０・１０の各々にはタンバックル２の中間部２３を嵌入するためのスリットないしは切欠部１１が形成され、２本の防振杆５・５の他端を係合す２つの透孔１２・１２を設けた左・右支持部１０Ａ・１０Ａを有する。２つの透孔１２・１２の形成位置は２枚の板状部材１０・１０をタンバックル２の脚部２１に重層状態に装着した際、２つの透孔１２・１２の各々が重層方向において重合する位置である。また、前記スリットないし切欠部１１・１１の中間に吊りボルト４の下端を挿通するための透孔１４が形成されている中央支持部１０Ｂを有する。
【００３４】
板状部材１０・１０を装着する際には、吊りボルト４に対するタンバックル２の取付位置を下げておく、即ち、タンバックル２に対して吊りボルト４の下端の位置を相対的に上げておく必要がある。吊りボルト４の下端が下がっていると、該吊りボルト４に板状部材１０・１０が当たってしまって装着することができないからである。
【００３５】
図７の状態は、３点吊下げ用支持具１の板状部材１０・１０を、配管軸方向における前後からタンバックル２の脚部２１に装着する以前の状態を示しており、矢符Ｘ・Ｘに示すように板状部材１０・１０をタンバックル２の中間部２３に装着することで、図８に示すような状態となる。
【００３６】
図８の状態は、板状部材１０・１０がタンバックル２の中間部２３に重層状態に装着した状態である。このとき、板状部材１０・１０各々の２つの透孔１２・１２は重層方向において重合する状態となっている。
【００３７】
板状部材１０・１０を装着した後、吊りボルト４に対してタンバックル２の取付位置を上げる。タンバックル２の取付位置を上げることで、吊りボルト４の下端の位置がタンバックル２に対して相対的に下がり、該吊りボルト４の下端が板状部材１０・１０の透孔１４・１４に図９に示すように挿通する。かかる挿通により、後段階である防振杆５・５の係合を待つまでもなく、板状部材１０・１０のタンバックル２からの脱落を防ぐことができる。
【００３８】
２枚の板状部材１０・１０を重層状態に装着し、吊りボルト４の下端を透孔１４・１４に挿通した後、図１０に示すように透孔１２・１２の各々に、一端が天井スラブ等（図示せず）に固定された２本の防振杆５・５の他端を係合する。係合手段としては、図１０に示すように、螺子加工された防振杆５・５の他端をナット６によって螺合状態に係合することが好ましい。
【００３９】
図１０に示すような状態、即ち、図示しない配管を抱持する配管用吊りバンド３が吊りボルト４及び２本の防振杆５・５によって３点吊下げ支持される状態となるので、効果的な防振支持が可能となる。特に、タンバックル２、配管用吊りバンド３、吊りボルト４は、基本的には防振構成を有していない従来構成のものであり、かかる従来構成の配管設備に本発明に係る３点吊下げ用支持具１を付加適用することで、作業時間及び部品費用を低減した状態での耐震付加工事における防振対策を施すことが可能となる。
【００４０】
本第２実施例に用いた図６に示す３点吊下げ用支持具である板状部材１０・１０は、図７〜図１０に示した装着位置、即ち、タンバックル２の中間部２３に限らず、他の位置に装着することもできる。
【００４１】
板状部材１０・１０の他の装着位置としては、タンバックル２の脚部２１・２１でもよいし、側壁部２２・２２であってもよい。
【００４２】
上記第２実施例において、板状部材１０は２枚に限らず、他の枚数であってもよい。即ち、３枚以上を用いてもよいし、１枚のみであってもよい。１枚の場合、前述の第１実施例では、激しい振動などが生じた際にはタンバックル２から外れてしまう惧れがあったが、本第２実施例では、吊りボルト４の下端が透孔１４に挿通された状態であるため、１枚のみの装着であっても外れることがない。
【００４３】
本第２実施例に用いた図６に示す３点吊下げ用支持具である板状部材１０・１０は、図７〜図１０に示した装着向き、即ち、逆Ｖ字状の向きに限らず、図１７に示すようにＶ字状の向きに装着することもできる。
【００４４】
図１７では、２本の防振杆５・５は、左・右支持部１０Ａ・１０Ａの透孔１２・１２にタンバックル２・２を介してナット６・６により夫々係合されている。防振杆５と板状部材１０の透孔１２との係合は図１７のタンバックル２に限らず、配管支持施工に用いられる公知公用の種々の接続部材を用いることができる。
【００４５】
次に、第３実施例について図１１〜図１５、図１８、図１９に基き説明する。図１１は本発明に係る３点吊下げ用支持具の第３実施例の板状部材を示す６面図（正面・右側面・平面・底面・背面・Ａ−Ａ線断面の各図）である。図１２〜図１５は上記第２実施例の装着過程を示す説明斜視図であり、図１２は第１段階、図１３は第２段階、図１４は第３段階、図１５は最終段階、図１８及び図１９はそれぞれ上記第３実施例の装着状態の他の例を示す斜視図を示す。
【００４６】
本第３実施例は、基本的には前述の第２実施例の中央支持部１０Ｂと左・右支持部１０Ａ・１０Ａとの間に連結部１０Ｃ・１０Ｃを設けた構成を有し、タンバックル２に同様に装着されて３点吊下げ支持を行うものである。即ち、第３実施例では、板状部材１０・１０が左右方向に前記第２実施例よりも連結部１０Ｃ・１０Ｃの一段分ずつ長く、透孔１２・１２の位置もタンバックル２から離開した位置に形成されている。
【００４７】
本第３実施例に用いた図１１に示す３点吊下げ用支持具である板状部材１０・１０は、図１２〜図１５に示した装着位置、即ち、タンバックル２の中間部２３に限らず、他の位置に装着することもできる。
【００４８】
板状部材１０・１０の他の装着位置としては、図１８に示すようにタンバックル２の脚部２１・２１でもよいし、図１９に示すようにタンバックル２の下方に取り付けられた配管用吊りバンド３の取付脚部３１・３１の部分に装着することもできる。図１８及び図１９の場合、用いられる板状部材１０・１０としては、図１１に示す第３実施例の板状部材１０から中央支持部１０Ｂを無しとした構成、即ち、スリットないし切欠部１１を第１実施例と同様の板状部材１０の中間に形成した構成のものを用いる。
【００４９】
【発明の効果】
本発明によれば、従来構成の配管用吊りバンドに装着して防振構造とすることが可能な低コストの３点吊下げ用支持具及び配管用吊りバンドを提供することができる。
【００５０】
即ち、配管を抱持する配管用吊りバンドが吊りボルト及び２本の防振杆によって３点吊下げ支持される状態となるので、効果的な防振支持が可能となる。しかも、タンバックルに少なくとも２枚の板状部材を前後から挟み込んだ状態で装着しているので、透孔に防振杆を係合した後は震動等が生じてもタンバックルから外れることがない。
【００５１】
また、本発明によれば、タンバックル、配管用吊りバンド、吊りボルトは、基本的には防振構成を有していない従来構成のものであり、かかる従来構成の配管設備に本発明に係る３点吊下げ用支持具を付加適用することで、作業時間及び部品費用を低減した状態での耐震付加工事における防振対策を施すことが可能となる。
【００５２】
特に請求項３に示す本発明によれば、吊りボルトの下端が板状部材の透孔に挿通された状態であるため、１枚のみの装着であっても外れることがない。
【図面の簡単な説明】
【図１】本発明に係る３点吊下げ用支持具の第１実施例の板状部材を示す６面図（正面・右側面・平面・底面・背面・Ａ−Ａ線断面の各図）
【図２】上記第１実施例の装着過程の第１段階を示す説明斜視図
【図３】上記第１実施例の装着過程の第２段階を示す説明斜視図
【図４】上記第１実施例の装着過程の最終段階を示す説明斜視図
【図５】上記第１実施例の装着状態の他の例を示す斜視図
【図６】本発明に係る３点吊下げ用支持具の第２実施例の板状部材を示す６面図（正面・右側面・平面・底面・背面・Ａ−Ａ線断面の各図）
【図７】上記第２実施例の装着過程の第１段階を示す説明斜視図
【図８】上記第２実施例の装着過程の第２段階を示す説明斜視図
【図９】上記第２実施例の装着過程の第３段階を示す説明斜視図
【図１０】上記第２実施例の装着過程の最終段階を示す説明斜視図
【図１１】本発明に係る３点吊下げ用支持具の第３実施例の板状部材を示す６面図（正面・右側面・平面・底面・背面・Ａ−Ａ線断面の各図）
【図１２】上記第３実施例の装着過程の第１段階を示す説明斜視図
【図１３】上記第３実施例の装着過程の第２段階を示す説明斜視図
【図１４】上記第３実施例の装着過程の第３段階を示す説明斜視図
【図１５】上記第３実施例の装着過程の最終段階を示す説明斜視図
【図１６】上記第１実施例の他の実施例を示す斜視図
【図１７】上記第２実施例の装着状態の他の例を示す斜視図
【図１８】上記第３実施例の装着状態の他の例を示す斜視図
【図１９】上記第３実施例の装着状態の他の例を示す斜視図
【符号の説明】
１  ３点吊下げ用支持具
１０  板状部材
１０Ａ  左・右支持部
１０Ｂ  中央支持部
１０Ｃ  連結部
１１  スリットないしは切欠部
１１Ａ  切り起こし片
１２  透孔
１３  補強リブ
１４  透孔
１５  掛止部
２  タンバックル
２１  脚部
２２  側壁部
２３  中間部
３  配管用吊りバンド
３１  取付脚部
４  吊りボルト
５  防振杆
６  ナット
【図１】
2004150452.tif 000003
【図２】
2004150452.tif 000004
【図３】
2004150452.tif 000005
【図４】
2004150452.tif 000006
【図５】
2004150452.tif 000007
【図６】
2004150452.tif 000008
【図７】
2004150452.tif 000009
【図８】
2004150452.tif 000010
【図９】
2004150452.tif 000011
【図１０】
2004150452.tif 000012
【図１１】
2004150452.tif 000013
【図１２】
2004150452.tif 000014
【図１３】
2004150452.tif 000015
【図１４】
2004150452.tif 000016
【図１５】
2004150452.tif 000017
【図１６】
2004150452.tif 000018
【図１７】
2004150452.tif 000019
【図１８】
2004150452.tif 000020
【図１９】
2004150452.tif 000021